(57)【要約】      （修正有）【課題】反転搬送路を余分に設けて装置が大型化することなく、画像の判定を行った転写媒体の仕分けを行うことができる画像形成装置、検査装置およびプログラムを提供する。【解決手段】転写媒体に画像を形成する画像形成部と、画像形成を制御する制御部と、を備え、前記制御部は、前記画像形成部を経た転写媒体の画像の読取結果を受けて転写媒体上の画像が正常であるかを判定し、判定の結果によって、画像が正常であると判定された転写媒体と画像が異常であると判定された転写媒体の仕分けをする制御が可能であり、前記読み取りに際し、転写媒体の読取結果を分割し分割したそれぞれの範囲の読取結果によって転写媒体上の画像の判定を行う機能を有することを特徴とする。【選択図】図９
2019028213.tif 000002
【特許請求の範囲】
【請求項１】
転写媒体に画像を形成する画像形成部と、
画像形成を制御する制御部と、を備え、
前記制御部は、前記画像形成部を経た転写媒体の画像の読取結果を受けて転写媒体上の画像が正常であるかを判定し、判定の結果によって、画像が正常であると判定された転写媒体と画像が異常であると判定された転写媒体の仕分けをする制御が可能であり、前記読み取りに際し、転写媒体の読取結果を分割し分割したそれぞれの範囲の読取結果によって転写媒体上の画像の判定を行う機能を有することを特徴とする画像形成装置。
【請求項２】
前記制御部は、分割された範囲毎に前記判定を並行して行うことを特徴とする請求項１記載の画像形成装置。
【請求項３】
前記制御部は、分割された範囲毎に前記判定を行う際に、読取結果全体に対する判定を完了する前に、分割された範囲の判定結果によっては画像が異常であると判定することを特徴とする請求項１または２に記載の画像形成装置。
【請求項４】
前記制御部は、分割に際し、読み取りが行われる転写媒体の搬送方向長さ、画像の読み取り時間、判定の処理数、判定の処理種類の一つ以上の事項に応じて分割を行うかを決定することを特徴とする請求項１〜３のいずれか１項に記載の画像形成装置。
【請求項５】
前記制御部は、分割に際し、読み取りが行われる転写媒体の搬送方向長さ、画像の読み取り時間、判定の数、判定の種類の一つ以上の事項に応じて分割を行うかを決定し、分割を行う場合に、分割を行うかを決定した前記事項に基づいて分割の数を設定することを特徴とする請求項４記載の画像形成装置。
【請求項６】
前記制御部は、転写媒体の仕分けまでに前記判定が間に合うかによって読取結果の分割に関する判断を行うことを特徴とする請求項１〜５のいずれか１項に記載の画像形成装置。
【請求項７】
前記制御部は、前記判定において複数の処理を順に実行する場合、複数の処理の順番を変更可能であることを特徴とする請求項１〜６のいずれか１項に記載の画像形成装置。
【請求項８】
前記制御部は、前記判定において、画像が異常であると判定される頻度が相対的に高い処理を先に実行するように複数の処理の順番を変更することを特徴とする請求項７記載の画像形成装置。
【請求項９】
前記制御部は、前記仕分けに際し、画像が正常であると判定された転写媒体と画像が異常であると判定された転写媒体とを異なる排紙先に排紙する制御を行うことを特徴とする請求項１〜８のいずれか１項に記載の画像形成装置。
【請求項１０】
前記制御部は、前記仕分けに際し、画像が正常であると判定された転写媒体と画像が異常であると判定された転写媒体とを、同じ排紙先で異なる位置に排紙する制御を行うことを特徴とする請求項１〜８のいずれか１項に記載の画像形成装置。
【請求項１１】
前記制御部は、読み取りを行う転写媒体上の画像に分割不可情報が含まれる場合、前記分割を行う際に前記分割不可情報の領域に分割境界が位置しないように分割を行うことを特徴とする請求項１〜１０のいずれか１項に記載の画像形成装置。
【請求項１２】
前記分割不可情報が情報領域であることを特徴とする請求項１１記載の画像形成装置。
【請求項１３】
前記情報領域が、バーコード情報または文字情報、ユーザ指領域および補正画像の１または２以上であることを特徴とする請求項１２に記載の画像形成装置。
【請求項１４】
前記制御部は、前記分割不可情報に対する判定を行わないことを特徴とする請求項１１〜１３のいずれか１項に記載の画像形成装置。
【請求項１５】
前記制御部は、転写媒体に形成する画像にバリアブル情報を有する場合、分割境界が位置しない箇所に、バリアブル情報に関する画像を配置することを特徴とする請求項１〜１４のいずれか１項に記載の画像形成装置。
【請求項１６】
前記制御部は、前記判定で、転写媒体は画像が異常であると判定され、かつ転写媒体の仕分けまでに前記判定が間に合わない場合、画像が異常であると判定された用紙を正常な画像の転写媒体と同じ仕分けをし、後続の供給済みの転写媒体に対し画像が異常である際の仕分けをし、画像が異常であった前記転写媒体の後続に仕切り用の転写媒体を供給することを特徴とする請求項１〜１５のいずれか１項に記載の画像形成装置。
【請求項１７】
前記制御部は、前記判定で、転写媒体は画像が異常であると判定され、かつ転写媒体の仕分けまでに前記判定が間に合わない場合、画像が異常であると判定された用紙を正常な画像の転写媒体と同じ仕分けをし、後続の供給済みの転写媒体に対し画像を印刷して画像が正常である際の仕分けを可能にし、画像が異常であった前記転写媒体の後続に、画像が異常である前記転写媒体の位置情報を付加した仕切り用の転写媒体を供給して排紙することを特徴とする請求項１〜１５のいずれか１項に記載の画像形成装置。
【請求項１８】
転写媒体上の画像を読み取る画像読取部で取得された読取結果に基づいて転写媒体上の画像が正常であるかを判定する検査制御部を有し、
前記検査制御部は、判定の結果によって、画像が正常であると判定された転写媒体と画像が異常であると判定された転写媒体の仕分けをする制御が可能であり、前記読み取りに際し、転写媒体の読取結果を分割し分割したそれぞれの範囲の読取結果によって転写媒体上の画像の判定を行う機能を有することを特徴とする画像検査装置。
【請求項１９】
転写媒体の画像を画像読取部で読み取った読取結果に基づいて転写媒体上の画像が正常であるかを判定するコンピュータで実行されるプログラムであって、
転写媒体の読取結果を分割するかを判断するステップと、
前記判断によって分割を行う場合、読取結果を複数に分割するステップと、
分割された読取結果によって転写媒体上の画像の判定を行うステップと、
判定の結果によって、画像が正常であると判定された転写媒体と画像が異常であると判定された転写媒体の仕分けをする制御を行うステップと、を有することを特徴とするプログラム。
【発明の詳細な説明】
【技術分野】
【０００１】
この発明は、転写媒体上の画像の読取結果に基づいて画像の良否を判定し、その結果によって転写媒体を仕分けすることが可能な画像形成装置、検査装置およびプログラムに関するものである。
【背景技術】
【０００２】
複写機、プリンタ、複合機などの画像形成装置の分野では、用紙の画像を読み取った結果を用いて、画像の異常や画質調整の判定を行っている。例えば、読取画像と、印刷用の画像データや正常と判定した読取画像とを比較して、画像が一致すれば正常であると判定し、画像が一致しない場合に異常判定を行う装置が提案されている。画像が異常であると判定された場合はヤレとされ、ヤレ紙を通常の排紙先とは異なる排出先へ排紙する処理などが行われている（例えば特許文献１参照）。
ところで、画像形成装置において、画像読取部で読み取られてヤレと判定された印刷用紙を、搬送経路を切り替えて別トレイ（パージトレイなど）に排紙する際に、長尺用紙を印刷用紙として用いている場合、ヤレと判定した時点で用紙の先端が既に別トレイへの分岐点を過ぎており、排紙先の切り替えが間に合わず、別トレイに排紙できないという問題が生じる可能性がある。
その対策方法として、例えば特許文献２では、画像読取部を通過した用紙を一旦反転搬送路に導いて迂回させ、切り替えに間に合うようにした画像形成システムが提案されている。
【先行技術文献】
【特許文献】
【０００３】
【特許文献１】特開２０１４−１５３５８０号公報
【特許文献２】特開２０１３−２１６０７６号公報
【発明の概要】
【発明が解決しようとする課題】
【０００４】
しかし、特許文献２で示された画像形成システムでは反転搬送路を余分に設ける必要があり、装置コストが増大する、装置が大型化する、等のデメリットがある。
【０００５】
本願発明は、上記事情を背景としてなされたものであり、反転搬送路を余分に設けて装置が大型化することなく、画像の判定を行った転写媒体の仕分けを行うことができる画像形成装置、検査装置およびプログラムを提供することを目的の一つとする。
【課題を解決するための手段】
【０００６】
上記課題を解決するため本発明の画像形成装置のうち、第１の形態は、転写媒体に画像を形成する画像形成部と、
画像形成を制御する制御部と、を備え、
前記制御部は、前記画像形成部を経た転写媒体の画像の読取結果を受けて転写媒体上の画像が正常であるかを判定し、判定の結果によって、画像が正常であると判定された転写媒体と画像が異常であると判定された転写媒体の仕分けをする制御が可能であり、前記読み取りに際し、転写媒体の読取結果を分割し分割したそれぞれの範囲の読取結果によって転写媒体上の画像の判定を行う機能を有することを特徴とする。
【０００７】
他の形態の画像形成装置は、前記形態の発明において、前記制御部は、分割された範囲毎に前記判定を並行して行うことを特徴とする。
【０００８】
他の形態の画像形成装置は、前記形態の発明において、前記制御部は、分割された範囲毎に前記判定を行う際に、読取結果全体に対する判定を完了する前に、分割された範囲の判定結果によっては画像が異常であると判定することを特徴とする。
【０００９】
他の形態の画像形成装置は、前記形態の発明において、前記制御部は、分割に際し、読み取りが行われる転写媒体の搬送方向長さ、画像の読み取り時間、判定の処理数、判定の処理種類の一つ以上の事項に応じて分割を行うかを決定することを特徴とする。
【００１０】
他の形態の画像形成装置は、前記形態の発明において、前記制御部は、分割に際し、読み取りが行われる転写媒体の搬送方向長さ、画像の読み取り時間、判定の数、判定の種類の一つ以上の事項に応じて分割を行うかを決定し、分割を行う場合に、分割を行うかを決定した前記事項に基づいて分割の数を設定することを特徴とする。
【００１１】
他の形態の画像形成装置は、前記形態の発明において、前記制御部は、転写媒体の仕分けまでに前記判定が間に合うかによって読取結果の分割に関する判断を行うことを特徴とする。
【００１２】
他の形態の画像形成装置は、前記形態の発明において、前記制御部は、前記判定において複数の処理を順に実行する場合、複数の処理の順番を変更可能であることを特徴とする。
【００１３】
他の形態の画像形成装置は、前記形態の発明において、前記制御部は、前記判定において、画像が異常であると判定される頻度が相対的に高い処理を先に実行するように複数の処理の順番を変更することを特徴とする。
【００１４】
他の形態の画像形成装置は、前記形態の発明において、前記制御部は、前記仕分けに際し、画像が正常であると判定された転写媒体と画像が異常であると判定された転写媒体とを異なる排紙先に排紙する制御を行うことを特徴とする。
【００１５】
他の形態の画像形成装置は、前記形態の発明において、前記制御部は、前記仕分けに際し、画像が正常であると判定された転写媒体と画像が異常であると判定された転写媒体とを、同じ排紙先で異なる位置に排紙する制御を行うことを特徴とする。
【００１６】
他の形態の画像形成装置は、前記形態の発明において、前記制御部は、読み取りを行う転写媒体上の画像に分割不可情報が含まれる場合、前記分割を行う際に前記分割不可情報の領域に分割境界が位置しないように分割を行うことを特徴とする。
【００１７】
他の形態の画像形成装置は、前記形態の発明において、前記分割情報が情報領域であることを特徴とする。
【００１８】
他の形態の画像形成装置は、前記形態の発明において、前記情報領域が、バーコード情報または文字情報、ユーザ指領域および補正画像の１または２以上であることを特徴とする。
【００１９】
他の形態の画像形成装置は、前記形態の発明において、前記制御部は、前記分割不可情報に対する判定を行わないことを特徴とする。
【００２０】
他の形態の画像形成装置は、前記形態の発明において、前記制御部は、転写媒体に形成する画像にバリアブル情報を有する場合、分割境界が位置しない箇所に、バリアブル情報に関する画像を配置することを特徴とする。
【００２１】
他の形態の画像形成装置は、前記形態の発明において、前記制御部は、前記判定で、転写媒体は画像が異常であると判定され、かつ転写媒体の仕分けまでに前記判定が間に合わない場合、画像が異常であると判定された用紙を正常な画像の転写媒体と同じ仕分けをし、後続の供給済みの転写媒体に対し画像が異常である際の仕分けをし、画像が異常であった前記転写媒体の後続に仕切り用の転写媒体を供給することを特徴とする。
【００２２】
他の形態の画像形成装置は、前記形態の発明において、前記制御部は、前記判定で、転写媒体は画像が異常であると判定され、かつ転写媒体の仕分けまでに前記判定が間に合わない場合、画像が異常であると判定された用紙を正常な画像の転写媒体と同じ仕分けをし、後続の供給済みの転写媒体に対し画像を印刷して画像が正常である際の仕分けを可能にし、画像が異常であった前記転写媒体の後続に、画像が異常である前記転写媒体の位置情報を付加した仕切り用の転写媒体を供給して排紙することを特徴とする。
【００２３】
上記課題を解決するため本発明の画像検査装置のうち、第１の形態は、転写媒体上の画像を読み取る画像読取部で取得された読取結果に基づいて転写媒体上の画像が正常であるかを判定する検査制御部と、を有し、
前記検査制御部は、判定の結果によって、画像が正常であると判定された転写媒体と画像が異常であると判定された転写媒体の仕分けをする制御が可能であり、前記読み取りに際し、転写媒体の読取結果を分割し分割したそれぞれの範囲の読取結果によって転写媒体上の画像の判定を行う機能を有することを特徴とする。
【００２４】
上記課題を解決するため本発明のコンピュータのうち、第１の形態は、転写媒体の画像を画像読取部で読み取った読取結果に基づいて転写媒体上の画像が正常であるかを判定するコンピュータで実行されるプログラムであって、
転写媒体の読取結果を分割するかを判断するステップと、
前記判断によって分割を行う場合、読取結果を複数に分割するステップと、
分割された読取結果によって転写媒体上の画像の判定を行うステップと、
判定の結果によって、画像が正常であると判定された転写媒体と画像が異常であると判定された転写媒体の仕分けをする制御を行うステップと、を有することを特徴とする。
【発明の効果】
【００２５】
本発明によれば、１つの転写媒体における読取結果を分割し分割したそれぞれの範囲の読取結果によって転写媒体上の画像の判定を行うことができるので、転写媒体の長さなどによらず、判定を迅速に行うことが可能になり、画像の判定を行った転写媒体を効果的に仕分けすることができる。
【図面の簡単な説明】
【００２６】
【図１】本発明の一実施形態の画像形成装置の機械的概略を示す図である。
【図２】同じく、前記実施形態の画像形成装置の基板構成の一部を示す図である。
【図３】同じく、前記実施形態の制御部のブロック図を示す図である。
【図４】バリアブル印刷がされた用紙の例を説明する図である。
【図５】従来のヤレ判定の処理手順を示すフロー図である。
【図６】本発明の一実施形態におけるヤレ判定の処理手順を示すフロー図である。
【図７】同じく、分割不可領域に分割領域がまたがる状態と、これを回避するために分割領域を変更した例を示す図である。
【図８】同じく、分割不可情報に分割領域がまたがる状態と、これを回避するために分割負荷情報の配置を変えた例を示す図である。
【図９】本発明の一実施形態における読取画像を分割してヤレ判定を行う手順を示すフローチャートである。
【図１０】他の実施形態において、読取画像に分割不可情報が含まれる場合の分割領域の算出手順を示すフローチャートである。
【図１１】さらに他の実施形態において、読取画像に分割不可情報が含まれる場合に、分割不可情報を除いてヤレ判定を行う手順を示すフローチャートである。
【図１２】さらに他の実施形態において、読取画像に分割不可情報が含まれる場合に、分割不可情報の配置を変更する手順を示すフローチャートである。
【図１３】さらに他の実施形態において、読取画像の分割をしても仕分けが間に合わない場合に、仕切り紙を排紙する手順を示すフローチャートである。
【図１４】さらに他の実施形態において、読取画像の分割をしても仕分けが間に合わない場合に、ヤレ紙の位置情報を付加した仕切り紙を排紙する手順を示すフローチャートである。
【発明を実施するための形態】
【００２７】
以下に、本発明の画像形成装置の一実施形態を説明する。
画像形成装置１は、図１に示すように、画像読取部３０を有する装置本体１０と、用紙に後処理を行う後処理装置２０と、を備えている。各装置は電気的および機械的に接続されており、装置間での通信および用紙の搬送が可能となっている。なお、装置本体１０と後処理装置２０との間に、中継装置などの適宜の装置を介在させるようにしてもよい。
【００２８】
本実施形態では、これらの装置によって画像形成装置１が構成されているものとしているが、本発明としては画像形成装置の構成がこれに限定されるものではない。例えば、画像読取部を有していない装置本体と、画像読取部を有する読取装置とを画像形成装置に含むものとしてもよく、また、装置本体のみで画像形成装置を構成し、読取装置、後処理装置、大容量給紙装置などを備えるものを画像形成システムとして構成してもよい。また、画像形成装置と、読取装置とが機械的にオフラインとなっているものであってもよい。画像形成装置と読取装置とは電気的にインラインとなるものでもよく、また、電気的にもオフラインで読取結果を適宜の方法によって画像形成装置に取り込み可能なものとしてもよい。さらに、読取装置の読取結果は画像形成装置には与えず、管理装置などに送信するものとしてもよい。
【００２９】
装置本体１０は、筺体内部下部側に本体給紙部２が備えられている。本体給紙部２には用紙が収納されており、本体給紙部２内の用紙は搬送経路３へ搬送される。用紙は、本発明の転写媒体に相当する。なお、転写媒体の材質は  本発明としては紙に限定されるものではなく、布やプラスチックからなる媒体であってもよい。また、本発明の転写媒体は、用紙が連続した連続紙などの連続転写媒体を画像形成前や画像形成後にカットするものとしてもよい。また、装置本体１０の上段側に大容量給紙装置を備えるものであってもよい。
装置本体１０内の搬送経路３の周囲には図示しないローラー等が設けられており、搬送経路３は、本体給紙部２から供給された用紙を搬送する。
【００３０】
さらに、搬送経路３の途中に、用紙に画像を形成する画像形成部１５が設けられている。
画像形成部１５は、各色用（シアン、マゼンタ、イエロー、ブラック）用の感光体１１Ｃ（シアン用）、１１Ｍ（マゼンタ用）、１１Ｙ（イエロー用）、１１Ｋ（ブラック用）を有しており、感光体１１Ｃ、１１Ｍ、１１Ｙ、１１Ｋの周囲には、図示しない帯電器、ＬＤ、現像器、クリーニング部等が備えられている。また、画像形成部１５は、各色用の感光体１１Ｃ、１１Ｍ、１１Ｙ、１１Ｋと接触可能な位置に中間転写ベルト１２を有している。中間転写ベルト１２は、その途中に設けられた二次転写部１３によって搬送経路３上の用紙と接触する。また、搬送経路３では、二次転写部１３よりも下流側の位置に定着器１４が備えられている。上記各構成により画像形成部１５が構成されている。
用紙に画像形成を行う場合は、帯電器によって帯電された感光体１１Ｃ、１１Ｍ、１１Ｙ、１１ＫにＬＤによってレーザー光が照射されて潜像が形成され、感光体１１Ｃ、１１Ｍ、１１Ｙ、１１Ｋに形成された潜像が現像器によってトナー像となる。感光体上のトナー像は中間転写ベルト１２に転写され、転写された画像が二次転写部１３によって用紙に転写される。その後、定着器１４によって用紙上の画像の定着が行われる。
【００３１】
また、搬送経路３からは、定着器１４の下流側で反転部を有する反転搬送経路１６が分岐しており、反転搬送経路１６の先端側は、画像形成部１５よりも上流側で搬送経路３に合流している。
反転搬送経路１６に搬送された用紙は、反転部で表裏の反転を行って、搬送方向下流側で搬送経路３に合流する。用紙の反転を行わない場合は、用紙は反転搬送経路１６に送られることなく、そのまま後処理装置２０に送られる。
また、定着器１４と、搬送経路３が反転搬送経路１６に分岐する地点との間には、搬送経路３で搬送される用紙の上面の画像を読み込む画像読取部３０が配置されている。画像読取部３０は、反転搬送経路１６で反転されて裏面に画像が形成された転写媒体では、この裏面側の画像を読み取る。
【００３２】
装置本体１０は、その筐体の上部に操作表示部１７を備えている。操作表示部１７は、タッチパネル式のＬＣＤ１７Ａと図示しないテンキー等の操作キー群とを有しており、情報の表示および操作入力の受付が可能となっている。
【００３３】
装置本体１０は、さらに、筐体の上部に自動原稿給送装置（ＡＤＦ）１８を備えている。自動原稿給送装置（ＡＤＦ）１８は、原稿載置台にセットされた原稿を自動で給送するものであり、自動原稿給送装置（ＡＤＦ）１８で給送される原稿は、スキャナ部１３０によって読み取られる。なお、原稿の読み取りはプラテンガラス１９で行うことも可能である。
【００３４】
装置本体１０には制御部１００を有している。制御部１００は画像形成装置１全体を制御するものであり、ＣＰＵ、および、ＣＰＵで実行されるプログラム、パラメータ等を格納し作業領域となる記憶部などによって構成される。なお、制御部は装置本体外に設けられるものであってもよい。制御部１００では後述する画像読取部３０における読取結果を取得することができる。
【００３５】
画像読取部３０で画像の読み取りによって取得された画像データは制御部１００に送信され、制御部１００では、取得した画像データに基づいて各種の処理や画像形成部１５の調整等を行うことができる。
画像読取部３０は、ＣＣＤセンサーやＣＭＯＳセンサー等によって構成され、用紙の幅方向全面の画像の読み取りを行うことが可能である。なお、本発明としては画像読取部３０の構成は特定の構成に限定されず、例えば、ポイントで画像を読み取って色の測定を行う測色器を用いることも可能であり、画像読取部の構成が特定のものに限定されない。また、画像読取部の数は特に限定されるものではない。搬送経路３は、後段の後処理装置２０の搬送経路２３に接続されている。
【００３６】
上記した制御部１００では、画像読取部３０による読取結果を検査画像として、読み取られた画像が正常であるか、異常であるかを判定することができる。画像の正常、異常に基づいて、用紙の搬送先を搬送経路２３Ａと搬送経路２３Ｂに切り替える切替部２４による用紙の仕分けを行うことができる。この実施形態では仕分けとして異なる搬送先が選択される。また、ヤレの判定について、予め、ヤレ検査の検査項目、検査対象（サイズや画像）、判定基準などにより判定内容を設定することができる。制御部１００では、画像が正常であると判定される場合、第１排紙部２１に排紙し、画像が以上であると判定される場合、第２排紙部２２に排紙するように制御することができる。
画像の正常、異常を判定する際の基準となる画像データは、制御部１００でＲＩＰデータから得て取得するものとしてもよく、サンプル出力などで出力された読取結果を画像読取装置３０や装置本体のメモリなどに格納して基準データとしてもよい。
制御部１００では、基準データと画像読取部で読み取った画像データとを比較して画像が正常であるか、異常であるかを判定することができる。例えば両者が一致していれば正常と判断し、不一致であれば異常であると判定することができる。正常、異常の判定基準は適宜設定することができる。設定された判定基準などに応じて判定するものであってもよい。
【００３７】
後処理装置２０は、用紙の搬送が可能な搬送経路２３を備えている。搬送経路２３は、切替部２４を介して搬送経路２３Ａと搬送経路２３Ｂに分岐しており、搬送経路２３Ａは、第１排紙部２１に接続され、搬送経路２３Ｂは第２排紙部２２に接続されている。
第１排紙部２１に至る搬送経路２３Ａの中途に後処理部２５が設けられている。後処理部２５は、所定の後処理を実行することが可能である。後処理としては、例えば、ステープル、パンチ、冊子処理などの適宜の処理や、折りを含む後処理、例えば、内三つ折り、中綴じ、Ｚ折り、観音折り、四つ折り等の処理を行うことが可能である。後処理部２５では、複数の後処理を行うものであってもよい。切替部２４は、用紙の搬送先を搬送経路２３Ａと搬送経路２３Ｂで切り替えるものである。なお、排紙部は、後処理装置に備えるものに限定されるものではなく、装置本体に備えるものであってもよく、異なる排紙部が異なる装置に設けられているものであってもよい。
【００３８】
なお、上記実施形態では、複数色の画像形成を前提にして説明しているが、画像形成装置が単色の画像形成を行うものであってもよい。
【００３９】
図２は、画像形成装置１における、画像読み込みを主とする制御基板の概略を示す図である。
スキャナ部１３０は、プラテンガラス１９とＡＤＦ表面読み込み部１３２とＡＤＦ裏面読み込み部１３３とを有している。プラテンガラス１９とＡＤＦ表面読み込み部１３２は、ＣＣＤ１３４による画像読み込みが可能に構成されており、ＡＤＦ裏面読み込み部１３３は、ＣＩＳ１３５による画像読み込みが可能に構成されている。また、画像読取部３０にはＣＣＤ３００を有している。
【００４０】
ＣＣＤ１３４は、ＡＳＩＣ１１０に接続されており、ＡＳＩＣ１１０には、メモリ１１１、ＣＰＵ１０１が接続されている。
また、ＣＩＳ１３５およびＣＣＤ３００は、ＡＳＩＣ１２０に接続されており、ＡＳＩＣ１２０には、メモリ１２１、ＣＰＵ１０１が接続されている。
ＣＰＵ１０１は、所定のプログラムを実行して画像形成装置１全体を制御する。
この実施形態では、ＣＰＵ１０１、ＡＳＩＣ１１０、メモリ１１１、ＡＳＩＣ１２０、メモリ１２１は、制御部１００を構成する。
【００４１】
制御部１００では、ＣＣＤ１３４の出力がＡＳＩＣ１１０で受信され、アナログ信号処理、Ａ／Ｄ（Analog to Digital）変換処理、シェーディング処理等の各種読み取り処理を施す。処理が行われた画像情報は、原稿画像としてメモリ１１１に格納され、ＣＰＵ１０１の制御により、ＡＳＩＣ１１０を通して読み出し等を行うことができる。
また、ＣＣＤ１３５およびＣＣＤ３００の出力はＡＳＩＣ１２０で受信され、アナログ信号処理、Ａ／Ｄ（Analog to Digital）変換処理、シェーディング処理等の各種読み取り処理を施す。処理が行われた画像情報は、原稿画像や検出画像としてメモリ１２１に格納され、ＣＰＵ１０１の制御により、ＡＳＩＣ１２０を通して読み出し等を行うことができる。
【００４２】
さらに、メモリ１１１やメモリ１２１には、画像が正常か異常かを判定する際の基準画像を格納しておくことができる。基準画像の情報は、予め、画像形成装置１のメモリ１１１やメモリ１２１中のＨＤＤなどに不揮発に保持しているものであってもよく、ネットワークや着脱可能なＵＳＢメモリなどを介して取得するものであってもよい。また、原稿画像をネットワークや取り外し可能な記憶媒体などを介して取得したもの（プリントイン）であってもよい。
【００４３】
図３は、制御部１００における機能ブロックを示すものである。
状態管理部１０００は、画像形成装置１全体を制御し、また画像形成装置１全体の状態把握を行う。状態管理部１０００には、スキャナ制御部１０３０が制御可能に接続されている。状態管理部１０００では、スキャナ部１３０で画像の読み込みが必要な状態になるとスキャナ制御部１０３０に指令を発して、ＣＣＤ１３４やＣＩＳ１３５を動作させて原稿の画像を読み込む。読み込まれた画像情報は、状態管理部１０００において、読み取り処理や原稿画像としてメモリへの格納が行われる。
【００４４】
状態管理部１０００には、表示部制御部１０４０が制御可能に接続されている。この実施形態では、操作表示部１７に情報を表示する際に、状態管理部１０００は、表示部制御部１０４０に制御指令を送り、表示部制御部１０４０の制御によって操作表示部１７に所望の表示を行う。また、操作表示部１７で操作が行われた場合、操作内容は表示部制御１０４０を通して状態管理部１０００に送信され、状態管理部１０００では、操作内容に応じた制御を行う。
【００４５】
また、状態管理部１０００には、印刷制御部１０６０が制御可能に接続されている。印刷制御部１０６０は、画像形成部１５での印刷や用紙の搬送などを制御する。状態管理部１０００では、印刷を行う際に、印刷を行うための印刷用画像を取得して書き込み情報を作成し、印刷制御部１０６０に送り、印刷制御部１０６０によって印刷動作を行う。
【００４６】
さらに、状態管理部１０００には、ＩＬＳ制御部１０１０が制御可能に接続されている。状態管理部１０００では、用紙に印刷された画像の読み込みが必要な場合、ＩＬＳ制御部１０１０に指令を送り、ＣＣＤ３００によって、用紙に印刷されている画像を読み込む。読み込まれた画像は、ＩＬＳ解析部１０２０に送られて、画像データを解析し、使用されている画素の色情報や位置（座標）情報を抽出する。得られた情報は、検出画像として状態管理部１０００に送出される。
【００４７】
なお、画像読取部３０による画像の検出は、ユーザの指定やジョブの条件などに従って実行することができる。画像の検出は、検出の有無や検出内容の設定、複数の検出内容の処理順序などの条件に従って実行することができ、これらの条件は不揮発メモリやＨＤＤなどに格納することができる。また、これらの条件はジョブ毎に異なるものとしてもよく、ジョブ設定にこれらの条件が含まれるものであってもよい。また、これらの設定は、ユーザが設定可能にしてもよく、例えば操作表示部１７を通して設定を行うことができる。また、後述するように、画像読取結果を分割して判定を行う場合の分割数や分割位置の設定内容、これらを設定するための設定条件などを不揮発メモリやＨＤＤなどに格納することができる。
状態管理部１０００では、画像読取部３０による検出画像の情報と、印刷用画像の情報やサンプル出力などの読み取り画像などを用いて、印刷画像の良否を判定することができる。
【００４８】
なお、上記実施形態では、装置本体１０に制御部を備えるものとして説明したが、制御部が装置本体１０外に設置されるものであってもよい。また、後処理装置などに画像読取部を備える場合、装置本体外の画像読取部で検出された画像の情報は、画像形成装置１の制御部によって受信される。
【００４９】
また、後処理装置に画像読取部を備える場合、画像の対比を行ってヤレ判定を行う制御部が後処理装置に備えられているものであってもよい。この場合、制御部は、画像形成装置から印刷用画像の情報を取得して画像の対比判定を行うことができる。対比判定の結果は、画像形成装置に送出することができ、その結果に基づいて用紙の仕分けなどを行うことができる。
さらに、制御部が、ネットワークなどを介して画像形成装置や後処理装置、読取装置などに接続されて画像形成システムを構成するものであってもよい。画像形成装置や後処理装置、読取装置は、画像形成システムの構成に含まれないものであってもよい。この制御部は、印刷用画像の情報や検出画像の情報を、ネットワークなどを通して取得し、画像の対比判定を行うことができる。制御部が、画像形成装置外の画像読取装置や画像形成装置を管理するサーバなどにある場合は、該制御部は本発明の検査制御部に相当し、画像読取装置やサーバは本発明の画像検査装置に相当する。
【００５０】
制御部や検査制御部などで実行されるプログラムは、本発明のプログラムに相当し、制御部や検査制御部は本発明におけるコンピュータに相当する。プログラムやパラメータ等は不揮発メモリやＲＯＭなどのメモリに記憶することができ、また、ＨＤＤに記憶されていてもよい。また、プログラムは、サーバ内の記憶部や、ネットワークに接続された他の記憶部、画像形成装置１に接続されたリムーバブルなメディアに記憶されていてもよく、本発明としてはプログラム等の格納場所は特に限定されない。本発明のプログラムは、持ち運び可能な記憶部などに格納されて流通、移動するものであってもよく、また、ネットワークなどを通して制御部の記憶部に格納されたものであってもよい。
【００５１】
次に、転写媒体上の画像の読み取りとヤレの判定を行う内容について説明する。
図４は、画像の読み取りを行う用紙の一例を示すものである。用紙Ｐには、バリアブル印刷領域が設定されており、バリアブル印刷領域Ｂ１、Ｂ２、Ｂ３、Ｂ４を有している。その他の共通化した画像のマスタ領域と、可変の画像を用いるバリアブル領域とでは、異なる基準画像を用いてヤレの判定が行われる。
【００５２】
図５は、画像を読み取った検査画像に対しヤレ判定を行う従来手法の手順を示すフロー図である。
制御部では、検査画像を取得すると、解像度変換をして、制御部の処理能力などに応じて解像度を低くする。次いで、画像のズレ補正を行って基準画像との対比を可能にする。その後、基準画像と比較をしてゴミ検知を行い、次いで現像剤の固まりが用紙に付着して生じるいわゆるホタル現象を検知する。以上にように、ヤレ検知では、複数の判定内容がシーケンシャルに実行される。なお、本発明としてはヤレ判定における処理内容の数や種類は特に限定されるものではなく、検知内容は一つであってもよい。
【００５３】
上記処理では、検査用の画像の読み取り開始し、読み取りを完了した後、ヤレ判定をシーケンシャルに行うため、画像の読み取り時間によって処理時間が変わる。このため画像領域が大きかったり、用紙の搬送方向長さが長かったりして画像の読み取りに時間がかかると、処理時間、すなわち判定が完了するまでの時間が長くなる。用紙の仕分けは、判定に従って行われるので、判定完了までの時間が長くなると、仕分けポイントを用紙が通過してしまい仕分けに間に合わない事態が生じてくる。
【００５４】
本実施形態では、画像読取結果を分割してヤレの判定を行うことで時間短縮が可能になる。ヤレの判定では、分割した検査画像毎に並行してヤレの判定処理を行うことができ、従来仕分けが困難であった長尺の用紙でも仕分けが可能になり、さらに仕分けに間に合う用紙長さの制限を大きくすることができる、
なお、画像読取結果の分割は、読み込み完了後に読取画像を分割して判定を行うものでもよく、また、読み取りの途中で読み取った画像を、分割画像として判定を開始するものであってもよい。
【００５５】
図６は、検査画像を分割してヤレ判定を行う状態を示すフロー図である。
検査画像は４つに分割され、分割された時点で分割画像に対するヤレの判定を行う。ヤレの判定では第１、第２、第３、第４の内容で処理がシーケンシャルで行われており、分割画像に対するそれぞれの判定処理は並行して行われている。判定完了に至るまでの時間は、検査画像を分割しない場合よりも短くすることができ、仕分けに間に合うように処理を行うことができる。なお、この例では、検査画像全体に対する判定処理を行うものとして説明しているが、分割画像に対する判定処理で、画像に異常があると判定される場合は、検査画像全体に対する判定処理を行うことなく、判定の途中の段階でヤレ判定を完了したものとして仕分けを行うように制御をしてもよい。
【００５６】
この例では、画像が正常である用紙と、画像が異常である用紙とを、排紙先を異なるものとして仕分けをするものとして説明しているが、同じ排紙先において位置を変えるなどして排紙してもよい。例えば用紙の排紙位置をシフトして配置したり、用紙を回転させて位置を変えたりしてもよい。また、仕分けに際し、ヤレ紙に対し挿入紙を供給するなどして仕分けを行うものとしてもよい。または仕分けは排紙に限定されるものではなく、両者を区別できるように処理を行うものであってもよい。
【００５７】
また、上記説明では、ヤレ判定は、分割した検査画像に対し、同じ処理内容で処理を行うものとしているが、本発明としては、分割画像において異なる手順で処理を行うものとしてもよい。また、複数の内容で判定処理を行う場合、判定結果においてヤレの頻出度などに相違がある場合などに応じて判定内容の順番を変更するものとしてもよい。例えば、頻出度が大きい処理内容を先に行うことによってヤレがある場合に早期に判定を行える可能性がある。
【００５８】
また、画像を分割する際に、分割する数が定まっている必要がある。分割数は、予め固定した分割数を設定しておいてもよく、また、画像の大きさや用紙の搬送方向長さに応じて分割数を算出するようにしてもよく、ジョブ設定において分割数が設定されているものであってもよい。さらには、ユーザによって操作表示部などを通して分割数を設定するものであってもよい。
【００５９】
次に、図７上段図に示すように、検査画像にバーコードやＱＲコード（商標、以下同じ）、ＯＣＲ部分、ユーザ指定領域、補正画像などの情報領域Ｊ１を含む場合は、前記情報領域をまたがないように画像を切り分ける分割処理（方策１）を実施する。これは、情報領域を分割してしまうと、必要な情報が欠落して所望の処理が困難になるためである。この例では、４つの分割領域における分割境界Ｄ１、Ｄ２、Ｄ３を有しており、この分割境界Ｄ１、Ｄ２、Ｄ３が情報領域Ｊ１にかからないように、図７下図に示すように新たな分割境界Ｄ１Ａ、Ｄ２Ａ、Ｄ３Ａを設けることで、分割境界が情報領域Ｊ１にかかることがなく、前記情報領域のコード・文字判別および検査が可能となる。この例では、情報領域は本発明の分割不可領域に相当する。
【００６０】
図８上段図は、図７と同様に、分割領域がバーコードやＱＲコード、ユーザ指領域、補正画像などの配置変更可能なバリアブル情報である情報領域Ｊ２をまたいでしまっている状態を示している。すなわち、分割境界Ｄ１、Ｄ２、Ｄ３のうち、分割境界Ｄ２が情報領域Ｊ１にかかっており、このまま分割画像の判定を行うと情報領域Ｊ２の情報が分断されてしまう。
これに対しては、前記バリアブル情報を描画するときに、情報領域が分割部分にまたがらないように、図８下図に示すように、バリアブル情報を情報領域Ｊ３として配置する（方策２）。情報領域Ｊ３には、分割境界Ｄ１、Ｄ２、Ｄ３のいずれもかかっておらず、情報領域Ｊ３のコード・文字判別および検査が可能となる。バリアブル情報も分割不可情報として扱うことができる。
【００６１】
画像分割は、まず正解画像の分割幅を方策１または方策２を用いて図３に示した印刷制御部１０６０で実施する。次にその分割幅に従って、ＩＬＳ制御部１０１０で検査画像の分割を行う。
分割方法は、方策１や方策２に限らず、処理能力に余裕のある最初の方を、分割領域を大きくし、後の方を、分割領域を小さくしてもよい。また、例えばＡ３以下の画像は分割なしでパージ処理が間に合うため、分割しない。分割領域が小さすぎる場合や、分割し過ぎると境目にヤレがある場合に検出できず、ズレ補正しにくくなるため必要以上の分割は行わないのが望ましい。
【００６２】
長尺紙などでは分割方式を用いてもパージが間に合わない、また、全面にＯＣＲ領域やバーコード、ユーザ指領域が配置され分割方式を適用できない場合がある。その場合、通常排紙するものの仕切り紙を挿入し、ヤレ紙を取り除きやすくすることができる。ヤレ発生時には既に後続の用紙も給紙されているので、ヤレ発生から仕切り紙までの間は、
１．後続の給紙済みの用紙を別トレイにパージし、仕切り紙をヤレ紙の上に排紙する。
２．あるいは、後続の給紙済みの用紙をパージすると無駄紙になるので、後続の給紙済みの用紙は通常の印刷を行って通常に排紙して使用し、その後仕切り紙に例えば「５枚前の紙を取り除いてください」を印字して排出する態様などを採用することができる。
【００６３】
次に、検査画像の分割を可能にしてヤレ判定を行うことができる処理手順を図９のフローチャートに基づいて説明する。なお、以下の手順は、制御部や検査制御部の制御によって実行される。
処理の開始に伴って、用紙に画像を形成した出力紙が、仕分けによって、通常の排紙先からパージトレイに出力先を切り替え可能な出力紙サイズかを印刷制御部において判定する（ステップｓ１）。
パージ可能な長さは予め把握可能であるので、不揮発メモリやＨＤＤに設定データとして格納し、これを読み出して判定に用いることができる。
【００６４】
出力紙がパージ可能な長さである場合（ステップｓ１、Ｙｅｓ）、検査画像の分割を行わない従来のヤレ検査方法を実施する（ステップｓ８）。ステップｓ８の検査の結果、出力紙の画像が正常である場合（ステップｓ８、ＯＫ）、通常排紙をし（ステップｓ７）、処理を終了する。
ステップｓ８の検査の結果、出力紙の画像が異常である（ヤレ紙である）と判定される場合（ステップｓ８、ＮＧ）、ヤレ紙と判定された出力紙を、パージ処理によって仕分けをして排紙する（ステップｓ９）なお、排紙先を同じにして正常な出力紙と異常な出力して排紙位置を変えたり、挿入紙を挿入したりして仕分けを行うものであってもよい。パージ処理後、処理を終了する。
【００６５】
出力紙がパージ可能な長さかを判定したステップｓ１で、出力紙がパージ可能な長さでない場合（ステップｓ１、Ｎｏ）、排紙の切り替えが間に合う分割サイズを算出する(ステップｓ２）。分割サイズの算出では、用紙の搬送方向長さや画像の読み取り領域などに従って算出することができる。算出の基準となるパラメータは予めメモリなどに格納しておき、該パラメータに基づいて算出を行う。例えば、分割画像一つ分の制限となる用紙長や画像大きさなどをパラメータに用いて算出することができる。
分割サイズ算出後、検査画像の読み込みを画像読取部で開始し（ステップｓ３）、ステップｓ３で算出した分割サイズに達したかを判断する（ステップｓ４）。分割サイズに達していなければ（ステップｓ４、Ｎｏ）、ステップｓ４に戻って分割サイズに達したかの判断を繰り返す。
【００６６】
ステップｓ４で検査画像の読み込みが分割サイズに達していれば（ステップｓ４、Ｙｅｓ）、分割画像の領域に対するヤレ検査を行う（ステップｓ５）。この処理は、図６に示すように、分割領域ごとに判定処理を並行に行うことができる。マルチコアのＣＰＵであれば、各処理をコアごとに振り分けて並列化することができる。
ステップｓ５で画像に異常があれば（ステップｓ５、ＮＧ）、パージ処理を行い（ステップｓ９）、その後、処理を終了する。
分割画像に対するヤレ検査で画像が正常である場合（ステップｓ５、ＯＫ）、画像一面分、すなわち分割画像の最終領域まで読み込みが完了したかを判断する（ステップｓ６）。画像一面分の読み込みが完了していれば（ステップｓ６、Ｙｅｓ）、画像一面としてヤレ検出がなかったので通常排紙を行い（ステップｓ７）、処理を終了する。画像一面分の読み込みが完了していなければ（ステップｓ６、Ｎｏ）、続きがあるためステップｓ４に戻って次の分割サイズに達したかの判断を繰り返す。
【００６７】
上記手順により、分割画像毎にヤレの判定を行って出力紙の仕分けを行うことができる。
なお、上記手順では、分割サイズ毎にヤレ判定を行って、分割画像毎に仕分けの判断を行うものとしたが、画像一面分の画像を読み込んだ後に、出力紙の仕分けを行うものとしてもよい。
【００６８】
次に、読み込みを行う画像に分割不可領域がある場合に、分割サイズを算出する変更例の手順を、図９のフローチャートをベースに、追加した部分を記載した図１０のフローチャートによって説明する。以下の手順は、制御部や検査制御部の制御によって実行される。
先ず、前記したステップｓ１に従って、出力紙がパージ可能な長さかを判定する（ステップｓ１）、パージ可能な長さであれば、前記手順で示したように、従来のヤレ検査を行う。パージ可能な長さでなければ（ステップｓ１、Ｎｏ）、分割不可情報があるかを判定する（ステップｓ１０）。分割不可情報は一つの例として情報領域を示すものであり、ステップｓ１０では、バーコードやＱＲコード、ユーザ指定領域、補正画像などの分割不可情報があるかチェックする。なお、本発明としては、分割不可情報は情報領域以外のものであってもよい。
分割不可情報がない場合（ステップｓ１０、Ｎｏ）、上記手順と同様に、分割サイズを算出する（ステップｓ２）。分割不可情報がある場合（ステップｓ１０、Ｙｅｓ）、分割不可情報を跨がない分割サイズを算出する（ステップｓ１１）。以降の手順は、前記手順と同様にして処理を行うことができる。
【００６９】
次に、読み込みを行う画像にバーコードやＱＲコード、ユーザ指定領域、補正画像などの分割不可情報がある場合に、分割不可情報に対するヤレ判定を行わない手順を、図９のフローチャートをベースに、追加した部分を記載した図１１のフローチャートに基づいて説明する。以下の手順は、制御部や検査制御部の制御によって実行される。
【００７０】
先ず、ステップ４において、読み込み領域が分割サイズに達したかを判定する。分割サイズに達していなければ（ステップｓ４、Ｎｏ）、分割サイズに達しているかの判定を繰り返す。読み込み領域が分割サイズに達していれば（ステップｓ４、Ｙｅｓ）、分割不可情報があるかを判断する（ステップｓ１２）。分割不可情報がなければ（ステップｓ１２、Ｎｏ）、図９の手順で説明したように、分割ヤレ検査をし（ステップｓ９）、ヤレの判定がされると（ステップｓ５、ＮＧ）、パージ処理をし（ステップｓ９）、画像が正常であると判定されると（ステップｓ５、ＯＫ）、画像一面完了かの判定をする（ステップｓ６）。画像一面完了でなければ（ステップｓ６、Ｎｏ）、ステップｓ４に戻って分割サイズに達しているかの判定を繰り返す。画像一面完了であれば（ステップｓ６、Ｙｅｓ）、図９に示すように通常排紙を行う（ステップｓ７）。
【００７１】
ステップｓ１２で分割不可情報があると判断された場合（ステップｓ１２、Ｙｅｓ）、バーコードやＱＲコード、ユーザ指定領域、補正画像などの分割不可情報の検査は行わず、それ以外の分割画像に対し分割ヤレ検査をする（ステップｓ１３）。分割ヤレ検査の結果、ヤレの判定がなされると（ステップｓ１３、ＮＧ）、パージ処理を行い（ステップｓ９）、画像が正常である判定がされると（ステップｓ１３、ＯＫ）、画像一面完了かの判定をする（ステップｓ６）。
【００７２】
次に、読み込みを行う画像に分割不可情報が含まれている場合、分割不可情報の配置を変更する手順を、図９のフローチャートをベースに追加した部分を記載した図１２のフローチャートに基づいて説明する。以下の手順は、制御部や検査制御部の制御によって実行される。
前記したフローにおけるステップｓ２の分割サイズを検出後、検査画像にバーコードやＱＲコードなどのバリアブル情報の分割不可情報があるかを判断する（ステップｓ１４）。分割不可情報がない場合（ステップｓ１４、Ｎｏ）、前記したフロートと同様に検査画像の読み込みを開始する（ステップｓ３）。バーコードやＱＲコードなどのバリアブル情報の分割不可情報がある場合（ステップｓ１４、Ｙｅｓ）、分割領域が分割不可情報をまたがないように、分割不可情報を配置し、検査用の最終画像を作成する（ステップｓ１５）。次いで、ステップｓ３に移行して検査画像の読み込みを開始し、以降は図９に示した手順を行う。
【００７３】
次に、検査画像を分割しても仕分けに間に合わない場合や分割画像の分割ができない場合がある手順を、図９のフローチャートをベースに追加した部分を記載した図１３のフローチャートに基づいて説明する。以下の手順は、制御部や検査制御部の制御によって実行される。
【００７４】
先ず、図９に示すステップｓ１において、出力紙がパージ可能な長さかを判断する。
出力紙がパージ可能な長さでない場合（ステップｓ１、Ｎｏ）、分割サイズを算出して仕分けに間に合うかを判断する（ステップｓ２Ａ）。分割サイズの算出が可能で仕分けに間に合う場合（ステップｓ２Ａ、ＯＫ）、検査画像の読み込みを開始し（ステップｓ３）、以降は図９に示す手順を行う。
【００７５】
出力紙がパージ可能な長さである場合（ステップｓ１、Ｙｅｓ）、または分割サイズの算出ができないか、仕分けに間に合わない場合（ステップｓ２Ａ、ＮＧ）、従来のヤレ検査を行う（ステップｓ８）。従来のヤレ検査で画像が正常であると判定されると（ステップｓ８、ＯＫ）、通常排紙が行われる（ステップｓ７）。
従来のヤレ検査でヤレ紙であると判定されると（ステップｓ８、ＮＧ）、ステップｓ２ＡでＮＧであったかを判断し（ステップｓ８Ａ）、ステップｓ２ＡでＮＧでなければ（ステップｓ８Ａ、Ｎｏ）、通常のパージ処理を行い（ステップｓ９）、ステップｓ２ＡでＮＧであれば（ステップｓ８Ａ、Ｙｅｓ）、パージ処理が間に合わないのでヤレ紙を通常の排紙先に排紙するとともに、後続の給紙済みの用紙をパージ排紙先に排紙するパージ処理を行い、さらに通常の排紙先に仕切り紙を挿入し（ステップｓ９Ａ）、処理を終了する。
【００７６】
次に、分割しても仕分けに間に合わない場合や分割できない場合があり、後続紙には画像を形成して通常排紙を可能にする手順を、図９のフローチャートをベースに、追加した部分を記載した図１４のフローチャートに基づいて説明する。以下の手順は、制御部や検査制御部の制御によって実行される。
【００７７】
先ず、図９に示すステップｓ１において、出力紙がパージ可能な長さかを判断する。
出力紙がパージ可能な長さでない場合（ステップｓ１、Ｎｏ）、分割サイズを算出して仕分けに間に合うかを判断する（ステップｓ２Ａ）。分割サイズの算出が可能で仕分けに間に合う場合（ステップｓ２Ａ）、検査画像の読み込みを開始し（ステップｓ３）、以降は図９に示す手順を行う。
【００７８】
出力紙がパージ可能な長さである場合（ステップｓ１、Ｙｅｓ）、または分割サイズの算出ができないか、仕分けに間に合わない場合（ステップｓ２Ａ、ＮＧ）、従来のヤレ検査を行う（ステップｓ８）。従来のヤレ検査で画像が正常であると判定されると（ステップｓ８、ＯＫ）、通常排紙が行われる（ステップｓ７）。
従来のヤレ検査でヤレ紙であると判定されると（ステップｓ８、ＮＧ）、ステップｓ２ＡでＮＧであったかを判断し（ステップｓ８Ａ）、ステップｓ２ＡでＮＧでなければ（ステップｓ８Ａ、Ｎｏ）、通常のパージ処理を行い（ステップｓ９）、ステップｓ２ＡでＮＧであれば(ステップｓ８Ａ、Ｙｅｓ）、ヤレ紙は通常排紙トレイに排紙し、既に給紙済みの用紙に対し通常通り印刷排紙を行い、その次にヤレ紙の位置情報を示す、例えば「５枚前にヤレ紙があります」などを記載した仕切り紙を挿入し（ステップｓ９Ｂ）、処理を終了する。
【００７９】
以上説明したように、この実施形態では、画像読取部では長尺用紙に対して分割読取を実施し、分割領域毎にヤレ検出処理を順次実施する。分割読取を行わない場合と比べて、早期にヤレ判定を行うことができる。その結果、長尺ヤレ紙を別トレイへ排出することが可能になる。
なお、分割領域間にバーコードやＱＲコード、ＯＣＲをかける文字部分、会社のロゴや人物の顔などのユーザ指定の重要情報、トンボやパッチなどの補正用画像が跨って配置されると、正確にヤレを検知できないという副作用が生じる場合があるが、この場合は、分割領域がこれら情報にまたがらないように対応する。
また、後方の分割領域でヤレが検出された場合に切り替えが間に合わず別トレイに排出できなかったり、全面にバーコードやＱＲコード、ＯＣＲをかける文字部分、重要情報が印字されていて分割できなかったりする場合があるが、この場合は、挿入紙や仕切り紙の挿入によって対応する。
【００８０】
以上、本発明について上記実施形態に基づいて説明したが、本発明は上記説明の内容に限定されるものではなく、本発明の範囲を逸脱しない限りは前記実施形態に対する適宜の変更が可能である。
【符号の説明】
【００８１】
１  画像形成装置
３  搬送経路
１５  画像形成部
１７  表示操作部
２０  後処理装置
２１  第１排紙部
２２  第２排紙部
２３  搬送経路
２４  切替部
３０  画像読取部
１００  制御部
１０１  ＣＰＵ
１１１  メモリ
１２１  メモリ
１３０  スキャナ部
１３４  ＣＣＤ
１３５  ＣＩＳ
３００  ＣＣＤ
【図１】
2019028213.tif 000003
【図２】
2019028213.tif 000004
【図３】
2019028213.tif 000005
【図４】
2019028213.tif 000006
【図５】
2019028213.tif 000007
【図６】
2019028213.tif 000008
【図７】
2019028213.tif 000009
【図８】
2019028213.tif 000010
【図９】
2019028213.tif 000011
【図１０】
2019028213.tif 000012
【図１１】
2019028213.tif 000013
【図１２】
2019028213.tif 000014
【図１３】
2019028213.tif 000015
【図１４】
2019028213.tif 000016